(57)【要約】【課題】特別な部品を使用せずに風向板のバックラッシュを除去する空気調和機を提供することを目的としている。【解決手段】本体１の前面上部及び上面に備える吸込口１１と、前面下部に備える吹出口１２とを結ぶ空気通路１３に室内熱交換器２及び送風ファン３を配置し、前記吹出口の両側壁１２ａ、１２ｂに設けた軸孔５ａ、５ｂと、略中央に備える軸受板６に設けた軸孔６ａに、前記それぞれの軸孔５ａ、５ｂ、６ａに対応する軸４ａ、４ｂ、４ｃを回動自在に軸支した上下風向板４が設けられてなる空気調和機において、前記上下風向板の全ての軸４ａ、４ｂ、４ｃの軸心を一直線上に配置する一方、前記軸受板６に設けた軸孔６ａの軸心を前記吹出口１２の両側壁に備える軸孔５ａ、５ｂの軸心を結ぶ直線上より少許ずらして配置している。【選択図】  図１
2004218884.tif 000002
【特許請求の範囲】
【請求項１】
本体の前面上部及び上面に備える吸込口と、前面下部に備える吹出口とを結ぶ空気通路に室内熱交換器及び送風ファンを配置し、前記吹出口の両側壁に備える軸孔と、略中央に備える軸受板に備える軸孔とに、前記それぞれの軸孔に対応して設けた軸を回動自在に軸支した上下風向板が設けられてなる空気調和機において、
前記上下風向板の全ての軸の軸心を一直線上に配置する一方、前記軸受板に設けた軸孔の軸心を前記吹出口の両側壁に備える軸孔の軸心を結ぶ直線上より少許ずらして配置してなることを特徴とする空気調和機。
【請求項２】
前記吹出口の両側及び略中央に備える軸孔の軸心を一直線上に配置する一方、前記上下風向板の略中央の軸の軸心を両側の軸の軸心を結ぶ直線上より少許ずらして配置してなることを特徴とする請求項１記載の空気調和機。
【発明の詳細な説明】
【０００１】
【発明の属する技術分野】
本発明は、本発明は空気調和機に関し、さらに詳しく言えば、例えば室内の壁や天井に据え付けられる室内ユニットにおける風向板の取付構造に関するものである。
【０００２】
【従来の技術】
従来の空気調和機は、熱交換器２５４と送風ファン２４１とを含む内部の空気通路２４を介して連通された空気吸込口２２および空気吹出口２３を有するほぼ箱形のハウジング２１を備え、上記空気吹出口２３内には、水平回転軸線を中心として上下方向に回動可能な上下風向板３０が配置されているとともに、上記空気吹出口２３の一部を形成している側板２５Ｌの外面側に、上記上下風向板３０の駆動手段５０が設けられている。
上記駆動手段５０は、一方の面が開口面とされた有底の歯車収納部５２１を有し、上記開口面を上記側板２５Ｌに対向させてその外面側に取り付けられるモータベース５２と、上記モータベース５２の底部外面側に取り付けられ、その駆動軸５１１が上記歯車収納部５２１内に挿通されるステッピングモータ５１とを含み、上記歯車収納部５２１内には、上記駆動軸５１１に嵌着されるピニオン歯車５４と、同ピニオン歯車５４と直接的もしくは中間歯車を介して噛合され、その出力軸５５３が上記側板２５Ｌを貫通して上記空気吹出口２３内に延びて上記上下風向板３０に連結される出力歯車５５とが配置されているとともに、上記出力歯車５５の出力軸５５３の両端が上記モータベース５２の底部に形成された軸受け孔５２６と上記側板２５Ｌに形成されたバーリング孔２５１とにより軸支されている。
そして、出力歯車５５には、ステッピングモータ５１の内部歯車、ピニオン歯車５４および同出力歯車５５の噛み合い部分でのバックラッシュを除去するためのコイルバネ５６が取り付けられるものがある。（例えば、特許文献１参照。）。
また、風向調節板３にその揺動に対して抵抗とする弾性体８を取り付け、風向調節板３が無負荷状態でガタつくことのないようにしているものがある（例えば、特許文献２参照。）。
しかし、上記従来技術においては、バックラッシュを除去するための部品を必要とし、コスト的に不利となるものである。
【０００３】
【特許文献１】
特開平１１−２６４６０２号公報（第６−１０頁、第３図）
【特許文献２】
特開平０４−２４４５４７号公報（第２−３頁、第１図）
【０００４】
【発明が解決しようとする課題】
本発明は以上述べた問題点を解決し、特別な部品を使用せずに風向板のバックラッシュを除去する空気調和機を提供することを目的としている。
【０００５】
【課題を解決するための手段】
本発明は上述の課題を解決するため、本体の前面上部及び上面に備える吸込口と、前面下部に備える吹出口とを結ぶ空気通路に室内熱交換器及び送風ファンを配置し、前記吹出口の両側壁に備える軸孔と、略中央に備える軸受板に備える軸孔とに、前記それぞれの軸孔に対応して設けた軸を回動自在に軸支した上下風向板が設けられてなる空気調和機において、前記上下風向板の全ての軸の軸心を一直線上に配置する一方、前記軸受板に設けた軸孔の軸心を前記吹出口の両側壁に備える軸孔の軸心を結ぶ直線上より少許ずらして配置してなる空気調和機としている。
【０００６】
また、前記吹出口の両側及び略中央に備える軸孔の軸心を一直線上に配置する一方、前記上下風向板の略中央の軸の軸心を両側の軸の軸心を結ぶ直線上より少許ずらして配置してなる空気調和機としている。
【０００７】
【発明の実施の形態】
以下、図面に基づいて本発明による空気調和機を詳細に説明する。
図１は本発明による空気調和機の一実施例を示す要部側断面図、図２は同正面から見た一部透視外観図、図３は同要部拡大側断面図、図４は同風向板の回動軸を示す要部拡大図である。
空気調和機の室内ユニットは、例えば、図１及び図２に示すように、その本体１の前面上部及び上面に吸込口１１を、前面下部に吹出口１２を備えている。
上記吸込口１１と吹出口１２を結ぶ空気通路１３には室内熱交換器２及び送風ファン３が配置されており、同送風ファン３により吸込口１１から吸込まれた室内空気が前記室内熱交換器２で調和されて吹出口１２より吹き出されるようになっている。
前記吹出口１２には前記調和空気の吹出方向を左右に変更する図示しない左右風向板と、上下に変更する上下風向板４が配置されている。
【０００８】
図４に示すように、前記上下風向板４はその長手方向の両端及び略中央にリブ４ｄを設け、同両端のリブ４ｄに軸４ａ、４ｂを備え、略中央のリブ４ｄに軸４ｃを備えている。
一方、前記吹出口１２は、図２に示すように、その両側壁１２ａ、１２ｂに前記上下風向板４の両端に備える軸４ａ、４ｂを軸支する軸孔５ａ、５ｂが設けられている。
また、前記吹出口１２の上壁１２ｃの略中央に前記上下風向板４の略中央に備える軸４ｃを軸支する軸孔６ａを備える軸受板６が設けられている。
また、前記吹出口１２の一側壁１２ａと前記本体１の側壁との間には前記軸４ａに連結して前記上下風向板４を回動する駆動手段７が配設されている。
【０００９】
前記上下風向板４の軸４ａ、軸４ｂ及び軸４ｃはその軸心が一直線上になるように配置されている。
一方、前記吹出口１２の略中央に備える軸孔６ａは、図３に示すように、その軸心が軸孔５ａと軸孔５ｂとの軸心を結ぶ線より少許（ａ）、前記吹出口１２の内側にずらした位置に配置されている。
これにより、前記上下風向板４はその中央部が若干内側に反り、その反発力により、前記駆動手段７が停止した状態でも安定してその状態を保つことができ、前記上下風向板４のガタつきを効果的に防止することができる。
【００１０】
上記実施例においては、前記上下風向板４の３つの軸４ａ、４ｂ、４ｃの軸心を一致させ、これに対応する軸孔５ａ、５ｂ、６ａの軸心を少許ずらすことにより、上下風向板４を反らせたが、これとは逆に軸孔５ａ、５ｂ、６ａの軸心を一致させ、これに対応する軸４ａ、４ｂ、４ｃの軸心を少許ずらすようにしても同じ効果が得られることは、記するまでもなく理解できよう。
【００１１】
【発明の効果】
以上説明したように、本発明による空気調和機によれば、上下風向板の３つの軸の軸心を一致させ、これに対応する軸孔の軸心を少許ずらすか、または、これとは逆に軸孔の軸心を一致させ、これに対応する軸の軸心を少許ずらすことにより、上下風向板が少許内側に反り、この反発力により、駆動手段が停止した状態でも安定してその状態を保つことができるので、スプリング等特別な部品を追加することなしに上下風向板のガタつきを効果的に防止することができる。
【図面の簡単な説明】
【図１】本発明による空気調和機の一実施例を示す要部側断面図である。
【図２】本発明による空気調和機の一実施例を示す正面から見た一部透視外観図である。
【図３】本発明による空気調和機の一実施例を示す要部拡大側断面図である。
【図４】本発明による空気調和機の一実施例を示す風向板の回動軸を示す要部拡大図である。
【符号の説明】
１  本体
２  室内熱交換器
３  送風ファン
４  上下風向板
４ａ、４ｂ、４ｃ  軸
５ａ、５ｂ  軸孔
６  軸受板
６ａ  軸孔
７  駆動手段
１１  吸込口
１２  吹出口
１２ａ、１２ｂ  側壁
１２ｃ  上壁
１３  空気通路
【図１】
2004218884.tif 000003
【図２】
2004218884.tif 000004
【図３】
2004218884.tif 000005
【図４】
2004218884.tif 000006